(57)【要約】【課題】利便性を向上する。【解決手段】表示システムは、複数の表示装置と、複数の表示装置を操作する携帯機器とを備え、表示装置は、携帯機器から自装置宛に送信された重畳指示に応じて、重畳指示に含まれる識別情報を示す表示パターンを表示画像に重畳させて表示部に表示させる表示制御部を備え、携帯機器は、表示装置の表示部が表示する表示パターンが重畳された表示画像を撮像する撮像部と、通信可能な表示装置に識別情報を付与し、付与した識別情報を含む重畳指示を当該表示装置に送信するとともに、撮像部が撮像した表示画像に重畳された表示パターンに基づいて、操作を行う表示装置を選択する機器制御部とを備える。【選択図】図１３
2020086103.tif 000002
【特許請求の範囲】
【請求項１】
複数の表示装置と、前記複数の表示装置を操作する携帯機器とを備え、
前記表示装置は、
前記携帯機器から自装置宛に送信された重畳指示に応じて、前記重畳指示に含まれる識別情報を示す表示パターンを表示画像に重畳させて表示部に表示させる表示制御部を備え、
前記携帯機器は、
前記表示装置の前記表示部が表示する前記表示パターンが重畳された前記表示画像を撮像する撮像部と、
通信可能な前記表示装置に前記識別情報を付与し、付与した前記識別情報を含む前記重畳指示を当該表示装置に送信するとともに、前記撮像部が撮像した前記表示画像に重畳された前記表示パターンに基づいて、操作を行う前記表示装置を選択する機器制御部と
を備えることを特徴とする表示システム。
【請求項２】
前記機器制御部は、前記表示画像に重畳された前記表示パターンに基づいて、前記識別情報を検出し、検出した当該識別情報に対応する前記表示装置を選択する
ことを特徴とする請求項１に記載の表示システム。
【請求項３】
前記機器制御部は、選択した前記表示装置に対して、ユーザから受け付けた操作の内容を示す操作情報を送信する
ことを特徴とする請求項１又は請求項２に記載の表示システム。
【請求項４】
前記携帯機器は、前記識別情報と、当該識別情報が付与された前記表示装置への通信に使用する通信接続情報と、前記表示装置が選択された状態であるか否かを示す選択状態情報とを対応付けて記憶する表示装置情報記憶部を備え、
前記機器制御部は、
選択した前記表示装置に対して、ユーザから受け付けた操作の内容を示す操作情報を送信する際に、前記表示装置情報記憶部が記憶する前記選択状態情報が選択された状態を示す情報である前記表示装置に、前記通信接続情報を用いて前記操作情報を送信する
ことを特徴とする請求項１又は請求項２に記載の表示システム。
【請求項５】
前記機器制御部は、
探索した前記通信可能な表示装置から前記通信接続情報を取得し、取得した通信接続情報と、前記識別情報とを対応付けて、前記表示装置情報記憶部に記憶させ、
前記表示装置情報記憶部が記憶する前記選択状態情報のうちの、選択された前記表示装置に対応する前記選択状態情報を、選択された状態を示す情報に変更する
ことを特徴とする請求項４に記載の表示システム。
【請求項６】
前記機器制御部は、
通信可能な前記表示装置を探索し、探索した当該表示装置を識別する前記識別情報を付与する識別情報付与部と、
前記識別情報付与部が付与した前記識別情報を含む前記重畳指示を、探索した前記表示装置に送信する重畳指示部と
とを備えることを特徴とする請求項１から請求項５のいずれか一項に記載の表示システム。
【請求項７】
前記機器制御部は、ユーザの操作を受け付ける操作部から前記表示装置が選択されている状態を保持する選択保持指示を取得した場合に、前記表示パターンに基づく前記識別情報の検出を停止し、前記表示装置が選択されている状態を保持する
ことを特徴とする請求項１から請求項６のいずれか一項に記載の表示システム。
【請求項８】
前記携帯機器は、
前記撮像部が撮像した前記表示画像に重畳された前記表示パターンに基づいて検出された前記識別情報を記憶する検出保持情報記憶部を備え、
前記機器制御部は、
前記操作部から前記識別情報の検出結果を保持する検出保持指示を取得した場合に、検出された前記識別情報を前記検出保持情報記憶部に記憶させ、
操作を行う前記表示装置を選択する際に、前記検出保持情報記憶部が記憶する前記識別情報に対応する前記表示装置と、前記撮像部が現在撮像した前記表示パターンに基づいて検出された前記識別情報に対応する前記表示装置とを選択する
ことを特徴とする請求項７に記載の表示システム。
【請求項９】
前記携帯機器と前記表示装置とは、無線通信を用いて通信可能であり、
前記機器制御部は、前記通信可能な前記表示装置に、前記無線通信を用いて前記重畳指示を送信する
ことを特徴とする請求項１から請求項７のいずれか一項に記載の表示システム。
【請求項１０】
複数の表示装置と、前記複数の表示装置を操作する携帯機器とを備える表示システムの制御方法であって、
前記携帯機器が、通信可能な前記表示装置に識別情報を付与し、付与した識別情報を含む重畳指示を当該表示装置に送信する重畳指示送信ステップと、
前記表示装置が、前記携帯機器から自装置宛に送信された前記重畳指示に応じて、前記重畳指示に含まれる識別情報を示す表示パターンを表示画像に重畳させて表示部に表示させる表示制御ステップと、
前記携帯機器が、前記表示装置の前記表示部が表示する前記表示パターンが重畳された前記表示画像を撮像する撮像ステップと、
前記携帯機器が、前記撮像ステップによって撮像された前記表示画像に重畳された前記表示パターンに基づいて、操作を行う前記表示装置を選択する選択ステップと
を含む制御方法。
【発明の詳細な説明】
【技術分野】
【０００１】
本発明は、表示システム、及び制御方法に関する。
【背景技術】
【０００２】
近年、複数の表示装置を並べて画像を表示することで大画面の表示を行う表示システムが知られている（例えば、特許文献１を参照）。
【先行技術文献】
【特許文献】
【０００３】
【特許文献１】特開２０１７−１１６６８９号公報
【発明の概要】
【発明が解決しようとする課題】
【０００４】
上述した特許文献１に記載の表示システムでは、複数の表示装置のそれぞれが表示装置を識別する識別情報を示す画像コードを画面に表示し、当該複数の画像コードに基づいて、それぞれの表示装置と、表示画像の位置との対応付けを行っている。しかしながら、上述した表示システムでは、例えば、それぞれの表示装置に予め識別情報を設定しておくなどの煩雑な操作が必要であり、利便性が損なわれる場合があった。
【０００５】
本発明は、上記問題を解決すべくなされたもので、その目的は、利便性を向上させることができる表示システム、及び制御方法を提供することにある。
【課題を解決するための手段】
【０００６】
上記問題を解決するために、本発明の一態様は、複数の表示装置と、前記複数の表示装置を操作する携帯機器とを備え、前記表示装置は、前記携帯機器から自装置宛に送信された重畳指示に応じて、前記重畳指示に含まれる識別情報を示す表示パターンを表示画像に重畳させて表示部に表示させる表示制御部を備え、前記携帯機器は、前記表示装置の前記表示部が表示する前記表示パターンが重畳された前記表示画像を撮像する撮像部と、通信可能な前記表示装置に前記識別情報を付与し、付与した前記識別情報を含む前記重畳指示を当該表示装置に送信するとともに、前記撮像部が撮像した前記表示画像に重畳された前記表示パターンに基づいて、操作を行う前記表示装置を選択する機器制御部とを備えることを特徴とする表示システムである。
【０００７】
また、本発明の一態様は、複数の表示装置と、前記複数の表示装置を操作する携帯機器とを備える表示システムの制御方法であって、前記携帯機器が、通信可能な前記表示装置に識別情報を付与し、付与した識別情報を含む重畳指示を当該表示装置に送信する重畳指示送信ステップと、前記表示装置が、前記携帯機器から自装置宛に送信された前記重畳指示に応じて、前記重畳指示に含まれる識別情報を示す表示パターンを表示画像に重畳させて表示部に表示させる表示制御ステップと、前記携帯機器が、前記表示装置の前記表示部が表示する前記表示パターンが重畳された前記表示画像を撮像する撮像ステップと、前記携帯機器が、前記撮像ステップによって撮像された前記表示画像に重畳された前記表示パターンに基づいて、操作を行う前記表示装置を選択する選択ステップとを含む制御方法である。
【発明の効果】
【０００８】
本発明によれば、利便性を向上させることができる。
【図面の簡単な説明】
【０００９】
【図１】第１の実施形態による表示システムの一例を示す外観図である。
【図２】第１の実施形態による表示システムの一例を示すブロック図である。
【図３】第１の実施形態の表示装置がプロジェクタである場合の表示部の一例を示すブロックである。
【図４】第１の実施形態の表示装置がモニタである場合の表示部の一例を示すブロックである。
【図５】第１の実施形態における表示装置リスト記憶部のデータ例を示す図である。
【図６】第１の実施形態における表示パターンの撮像画像の一例を示す図である。
【図７】第１の実施形態における携帯機器の操作画面の一例を示す図である。
【図８】第１の実施形態における携帯機器の動作の一例を示すフローチャートである。
【図９】第１の実施形態における表示装置の動作の一例を示すフローチャートである。
【図１０】第２の実施形態による表示システムの一例を示すブロック図である。
【図１１】第２の実施形態における携帯機器の操作画面の一例を示す図である。
【図１２】第２の実施形態における携帯機器の動作の一例を示すフローチャートである。
【図１３】第３の実施形態による表示システムの一例を示すブロック図である。
【発明を実施するための形態】
【００１０】
以下、本発明の一実施形態による表示システム、及び制御方法について、図面を参照して説明する。
【００１１】
［第１の実施形態］
図１は、第１の実施形態による表示システム１の一例を示す外観図である。また、図２は、第１の実施形態による表示システム１の一例を示すブロック図である。
図１に示すように、表示システム１は、複数の表示装置（１０−１、１０−２、１０ａ）と、携帯機器２０とを備える。表示システム１は、複数の表示装置（１０−１、１０−２、１０ａ）を並べて配置して使用するマルチ表示を行うシステムであり、携帯機器２０から表示装置（１０−１、１０−２、１０ａ）を操作する。
【００１２】
なお、本実施形態において、表示装置１０−１、及び表示装置１０−２は、表示装置がプロジェクタである場合を示し、表示システム１が備える任意のプロジェクタを示す場合、又は特に区別しない場合には、表示装置１０として説明する。また、表示装置１０ａは、表示装置がモニタである場合を示している。本実施形態では、表示装置１０（１０ａ）として、プロジェクタとモニタとが、表示システム１内に混在する場合の一例について説明する。
【００１３】
図１に示す例では、表示システム１は、２台の表示装置１０と、１台の表示装置１０ａを備えている。ここで、表示装置１０（１０−１、１０−２）は、プロジェクタであり、表示装置１０ａは、モニタである。表示装置１０−１は、スクリーンＳＣに表示パターンＰＴが重畳された表示画面Ｇ１を表示し、表示装置１０−２は、スクリーンＳＣに表示パターンＰＴが重畳された表示画面Ｇ２を表示する。また、表示装置１０ａは、表示部１１ａに表示パターンＰＴが重畳された表示画面Ｇ３を表示する。ここで、表示パターンＰＴは、表示装置１０（１０ａ）を識別するＩＤを示すパターンであり、ＩＤは、表示装置１０（１０ａ）を識別する識別情報の一例である。
【００１４】
携帯機器２０は、例えば、スマートフォンやタブレット端末などの電子機器であり、複数の表示装置１０（１０ａ）を操作するリモコン機器（リモートコントロール機器）として機能する。携帯機器２０は、撮像部２１を備える。携帯機器２０が、通信可能な表示装置１０（１０ａ）にＩＤを付与し、付与したＩＤを含む重畳指示を当該表示装置１０（１０ａ）に送信する。携帯機器２０は、撮像部２１が表示パターンＰＴを含む画像を撮像し、撮像した撮像画像に含まれる表示パターンＰＴに基づいて、操作を行う表示装置１０（１０ａ）を選択する。
【００１５】
なお、携帯機器２０と表示装置１０（１０ａ）とは、無線通信を用いて通信可能であり、表示装置１０（１０ａ）は、無線通信により、例えば、自装置に対する操作コマンドを受信し、受信した当該操作コマンドに対応する各種処理を実行する。
【００１６】
次に、図２を参照して、本実施形態による表示システム１の詳細な構成について説明する。なお、図２において、複数の表示装置１０（１０ａ）のうちの１つ記載し、他の表示装置１０（１０ａ）の記載を省略する。
図２に示すように、表示装置１０（１０ａ）は、表示部１１（１１ａ）と、表示制御部１２と、無線通信部１３と、装置情報記憶部１４と、表示パターン生成部１５と、映像処理部１６と、重畳処理部１７とを備える。
【００１７】
無線通信部１３は、例えば、無線ＬＡＮ（Local Area Network）やBluetooth（登録商標）などの無線通信を用いて、携帯機器２０との間で通信を行う。無線通信部１３は、例えば、携帯機器２０が送信した操作情報を受信する。ここで、操作情報は、表示装置１０（１０ａ）への操作の内容を示し、操作情報には、例えば、上述した重畳指示、表示パターンの表示を停止させる非表示指示、及び表示装置１０の各種操作の指示などの操作コマンドが含まれる。無線通信部１３は、受信した操作情報（操作コマンド）を、表示制御部１２に出力する。
【００１８】
装置情報記憶部１４は、例えば、表示装置１０（１０ａ）の機種情報や無線接続情報（通信接続情報の一例）などの表示装置１０（１０ａ）に関連する装置情報を記憶する。
表示パターン生成部１５は、表示制御部１２の制御に基づいて、自装置に付与されたＩＤを示す表示パターンを生成する。表示パターン生成部１５は、自装置に付与されたＩＤから、例えば、１次元コードであるバーコードや、２次元コードであるＱＲコード（登録商標）などのパターンを生成する。表示パターン生成部１５は、生成した表示パターンを重畳処理部１７に出力する。
【００１９】
映像処理部１６は、表示装置１０（１０ａ）の外部から入力された映像信号（入力映像）に基づく映像（画像）に対して、入力映像の解像度から表示装置１０（１０ａ）の解像度への解像度変換、及び画質調整などを行う。映像処理部１６は、解像度変換及び画質調整を行った映像（画像）を重畳処理部１７に出力する。
【００２０】
重畳処理部１７は、表示制御部１２の制御に基づいて、映像処理部１６が出力する映像（画像）に、表示パターン生成部１５が出力する表示パターンを重畳させて、表示部１１（１１ａ）に出力する。重畳処理部１７は、例えば、図１に示す表示画面Ｇ１〜表示画面Ｇ３のように、表示パターンＰＴが重畳された映像（画像）を出力する。また、重畳処理部１７は、表示制御部１２の制御に基づいて、映像処理部１６が出力する映像（画像）をそのまま表示部１１（１１ａ）に出力する機能を有している。すなわち、重畳処理部１７は、表示制御部１２の制御に応じて、表示パターンが重畳された映像（画像）と、表示パターンが重畳されていない映像（画像）とを切り替えて出力する。
【００２１】
表示部１１は、例えば、プロジェクタであり、スクリーンＳＣ（表示対象の一例）に映像を投影する。表示部１１は、例えば、表示装置１０と接続する（表示装置１０を選択する）際に、上述した表示パターンを重畳させた表示画面を表示する。また、表示部１１は、重畳処理部１７の出力に基づいて、各種映像の画面をスクリーンＳＣに表示する。ここで、図３を参照して、表示部１１の詳細な構成について説明する。
【００２２】
図３は、本実施形態の表示装置１０がプロジェクタである場合の表示部１１の一例を示すブロックである。
図３に示すように、表示部１１は、光源部１１１と、空間光変調部１１２と、投影レンズユニット１１３と、空間光変調器駆動部１１４とを備える。なお、光源部１１１と、空間光変調部１１２と、投影レンズユニット１１３とは、投影部３０に対応する。
【００２３】
光源部１１１は、プロジェクタの照明光を生成する。光源部１１１は、生成した照明光を、空間光変調部１１２に照射する。
空間光変調部１１２は、光源部１１１から照射された照明光を変調して、投影レンズユニット１１３に照射する。空間光変調部１１２には、例えば、透過デバイスである液晶パネル、反射デバイスである反射型液晶パネルやＤＭＤ（Digital Micromirror Device）などが使用される。
【００２４】
投影レンズユニット１１３は、空間光変調部１１２を介して変調された照明光を、例えば、スクリーンＳＣに投影する。ここで、スクリーンＳＣは、表示対象の一例である。
空間光変調器駆動部１１４は、重畳処理部１７の出力（表示入力）に基づいて、空間光変調部１１２の駆動信号を生成し、当該空間光変調部１１２に供給する。
【００２５】
また、表示部１１ａは、例えば、液晶ディスプレイであり、表示装置１０ａと接続する（表示装置１０ａを選択する）際に、上述した表示パターンを重畳させた表示画面を表示する。また、表示部１１ａは、重畳処理部１７の出力に基づいて、各種映像の画面を表示する。ここで、図４を参照して、表示部１１ａの詳細な構成について説明する。
【００２６】
図４は、本実施形態の表示装置１０ａがモニタである場合の表示部１１ａの一例を示すブロックである。
図４に示すように、表示部１１ａは、バックライト１１１ａと、液晶パネル１１２ａと、カラーフィルタ１１３ａと、液晶パネル駆動部１１４ａとを備える。なお、バックライト１１１ａと、液晶パネル１１２ａと、カラーフィルタ１１３ａとは、表示パネル３０ａに対応する。
【００２７】
バックライト１１１ａは、例えば、発光ダイオードやＥＬ（Electro Luminescence）パネルなどを有し、表示部１１ａの照明光を生成する。バックライト１１１ａは、生成した照明光を、液晶パネル１１２ａの表示面とは逆の面である背面から照射する。
【００２８】
液晶パネル１１２ａは、バックライト１１１ａから照射された照明光の輝度を変調して、カラーフィルタ１１３ａに照射する。
カラーフィルタ１１３ａは、液晶パネル１１２ａを介して輝度が変調された照明光を、例えば、光の３原色に着色する。
【００２９】
液晶パネル駆動部１１４ａは、重畳処理部１７の出力（表示入力）に基づいて、液晶パネル１１２ａの駆動信号を生成し、当該駆動信号を液晶パネル１１２ａに供給する。
【００３０】
図２の説明に戻り、表示制御部１２は、例えば、ＣＰＵ（Central Processing Unit）などを含むプロセッサであり、表示装置１０（１０ａ）を統括的に制御する。表示制御部１２は、例えば、無線通信部１３を介して、携帯機器２０からの表示装置１０（１０ａ）を探索するブロードキャスト通信（全宛先通信）を受信した場合に、装置情報記憶部１４が記憶する機種情報及び無線接続情報を読み出し、無線通信部１３を介して携帯機器２０に送信する。
【００３１】
また、表示制御部１２は、携帯機器２０から自装置宛に送信された重畳指示に応じて、重畳指示に含まれるＩＤを示す表示パターンを表示画像に重畳させて表示部１１（１１ａ）に表示させる。表示制御部１２は、例えば、無線通信部１３を介して、携帯機器２０から自装置宛の重畳指示を受信した場合に、当該重畳指示ニッ含まれるＩＤを、表示パターン生成部１５に出力して、ＩＤを示す表示パターンを生成させる。また、表示制御部１２は、重畳処理部１７に、表示パターン生成部１５が生成した表示パターンを表示画像に重畳させて、表示部１１（１１ａ）に表示させる。
【００３２】
また、表示制御部１２は、例えば、無線通信部１３を介して、表示パターンの表示を停止させる非表示指示を受信した場合に、重畳処理部１７に、表示パターンの重畳を停止させ、映像処理部１６が出力する映像を表示部１１（１１ａ）に表示させる。
また、表示制御部１２は、例えば、無線通信部１３を介して、表示装置１０（１０ａ）を各種操作する操作コマンドを受信した場合に、操作コマンドに対応する操作処理を実行する。
【００３３】
携帯機器２０は、撮像部２１と、機器制御部２２と、機器記憶部２３と、タッチスクリーン２４と、無線通信部２５とを備える。
撮像部２１は、例えば、ＣＣＤ（Charge Coupled Device）イメージセンサやＣＭＯＳイメージセンサなどの撮像素子を有するデジタルカメラであり、表示装置１０（１０ａ）の表示部１１（１１ａ）が表示する表示パターンが重畳された表示画像を撮像する。すなわち、撮像部２１は、各表示装置１０（１０ａ）が表示する表示パターンを含む画像を撮像し、撮像した画像を機器制御部２２に出力する。
【００３４】
機器記憶部２３は、携帯機器２０が使用する各種情報を記憶する。機器記憶部２３は、専用プログラム記憶部２３１と、表示装置リスト記憶部２３２とを備える。
専用プログラム記憶部２３１は、表示システム１を使用するための専用プログラムを記憶する。
【００３５】
表示装置リスト記憶部２３２（表示装置情報記憶部の一例）は、ＩＤと、当該ＩＤが付与された表示装置１０（１０ａ）への通信に使用する通信接続情報と、表示装置１０（１０ａ）が無線通信で接続中であるか否かの情報とを対応付けて記憶する。ここで、図５を参照して、表示装置リスト記憶部２３２のデータ例について説明する。
【００３６】
図５は、本実施形態における表示装置リスト記憶部２３２のデータ例を示す図である。
図５に示すように、表示装置リスト記憶部２３２は、「ＩＤ」と、「機種名」と、「無線接続情報」と、「接続状態」とを対応付けて記憶する。ここで、「ＩＤ」は、接続可能な表示装置１０（１０ａ）に付与したＩＤであり、識別情報の一例である。また、「機種名」は、表示装置１０（１０ａ）の機種情報を示し、「無線接続情報」は、表示装置１０（１０ａ）への通信に使用する情報であり、通信接続情報の一例である。
【００３７】
また、「接続状態」は、携帯機器２０と当該表示装置１０（１０ａ）とが無線通信により接続中であるか否かの状態を示している。なお、本実施形態では、「接続状態」が“接続中”の場合に、表示装置１０（１０ａ）の操作が実行可能であるため、「接続状態」は、表示装置１０（１０ａ）が選択された状態であるか否かを示す選択状態情報の一例である。
【００３８】
図５に示す例では、「ＩＤ」が“０１”の表示装置１０（１０ａ）の「機種」が“ＸＸ−ＸＸＸＸ”であり、「無線接続情報」が“ＸＸＸＸＸＸＸＸＸ”であることを示している。また、この“０１”の表示装置１０（１０ａ）は、「接続状態」が“未接続”である（すなわち、未選択の状態である）ことを示している。
また、「ＩＤ」が“０２”の表示装置１０（１０ａ）の「機種」が“ＸＸ−ＸＸＸＸ”であり、「無線接続情報」が“ＸＸＸＸＸＸＸＸＸ”であることを示している。また、この“０２”の表示装置１０（１０ａ）は、「接続状態」が“接続中”である（すなわち、選択されている状態である）ことを示している。
【００３９】
再び、図２の説明に戻り、タッチスクリーン２４は、例えば、表示機能付きのタッチパネルであり、携帯機器表示部２４１と、タッチ座標検出部２４２とを備える。
携帯機器表示部２４１（操作表示部の一例）は、例えば、液晶ディスプレイであり、複数の表示装置１０（１０ａ）を操作する操作画面を表示する。また、携帯機器表示部２４１は、撮像部２１によって、複数の表示装置１０の認識番号を撮像する際に、撮像画面を表示する。
【００４０】
タッチ座標検出部２４２（操作部の一例）は、例えば、タッチパネルであり、ユーザの操作を受け付ける。タッチ座標検出部２４２は、タッチスクリーン２４上（携帯機器表示部２４１の表示面上）のタッチ座標を検出できるように、携帯機器表示部２４１の表示面と重ねて配置されている。タッチ座標検出部２４２は、タッチスクリーン２４上（携帯機器表示部２４１の表示面上）のユーザにタッチされたタッチ座標を検出する。タッチ座標検出部２４２は、検出したタッチ座標を機器制御部２２に出力する。
【００４１】
無線通信部２５は、例えば、無線ＬＡＮやBluetooth（登録商標）などの無線通信を用いて、表示装置１０（１０ａ）との間で通信を行う。無線通信部２５は、例えば、表示装置１０（１０ａ）に、上述した重畳指示や操作の内容を示す操作情報（例えば、操作コマンド）などを送信する。
【００４２】
機器制御部２２は、例えば、ＣＰＵなどを含むプロセッサであり、携帯機器２０を統括的に制御する。機器制御部２２は、例えば、通信可能な表示装置１０（１０ａ）にＩＤを付与し、付与したＩＤを含む重畳指示を当該表示装置１０（１０ａ）に送信するとともに、撮像部２１が撮像した表示画像に重畳された表示パターンに基づいて、操作を行う表示装置１０（１０ａ）を選択する。すなわち、機器制御部２２は、表示画像に重畳された表示パターンに基づいて、ＩＤを検出し、検出した当該ＩＤに対応する表示装置１０（１０ａ）を選択する。なお、機器制御部２２は、無線通信を用いて表示装置１０（１０ａ）と接続した状態にすることで、表示装置１０（１０ａ）を選択する。
【００４３】
また、機器制御部２２は、選択した表示装置１０（１０ａ）に対して、ユーザから受け付けた操作の内容を示す操作情報（操作コマンド）を送信する。例えば、機器制御部２２は、選択した表示装置１０（１０ａ）に対して、操作情報を送信する際に、表示装置リスト記憶部２３２が記憶する「接続状態」が“接続中”（選択状態情報が選択された状態を示す情報）である表示装置１０（１０ａ）に、「無線接続情報」を用いて操作情報を送信する。なお、「無線接続情報」は、探索した通信可能な表示装置１０（１０ａ）から無線通信部２５を介して取得される。
また、機器制御部２２は、表示装置探索部２２１と、重畳指示部２２２と、ＩＤ検出接続部２２３と、ボタン制御部２２４と、操作コマンド処理部２２５とを備える。
【００４４】
表示装置探索部２２１（識別情報付与部の一例）は、通信可能な表示装置１０（１０ａ）を探索し、探索した当該表示装置１０（１０ａ）を識別するＩＤを付与する。すなわち、表示装置探索部２２１は、無線通信部２５を介して、ブロードキャスト通信を送信することで、通信可能な表示装置１０（１０ａ）を探索する。表示装置探索部２２１は、ブロードキャスト通信の返信を無線通信部２５を介して受信し、当該返信に含まれる機種情報及び無線接続情報を取得する。表示装置探索部２２１は、通信可能な表示装置１０（１０ａ）にＩＤを付与し、当該ＩＤと、取得した機種情報と、無線接続情報とを対応付けて表示装置リスト記憶部２３２に記憶させる。すなわち、表示装置探索部２２１は、探索した通信可能な表示装置１０（１０ａ）から機種情報及び無線接続情報を取得し、上述した図５に示すように、「ＩＤ」と、「機種名」と、「無線接続情報」と、「接続状態」とを対応付けて表示装置リスト記憶部２３２に記憶させる。なお、ここでは、表示装置探索部２２１は、「接続状態」を“未接続”として記憶させる。
【００４５】
重畳指示部２２２は、表示装置探索部２２１が付与したＩＤを含む重畳指示を、探索した表示装置１０（１０ａ）に送信する。重畳指示部２２２は、例えば、表示装置リスト記憶部２３２が記憶するリスト（一覧）に従って、無線通信部２５を介して、各表示装置１０（１０ａ）に付与されたＩＤを含む重畳指示を、表示装置１０（１０ａ）に送信する。なお、重畳指示部２２２は、表示装置１０（１０ａ）に重畳指示を送信する際には、上述した表示装置リスト記憶部２３２が記憶する「無線接続情報」を用いて、無線通信により表示装置１０（１０ａ）に送信する。
【００４６】
ＩＤ検出接続部２２３は、撮像部２１が撮像した表示画像に重畳された表示パターンに基づいて、ＩＤを検出し、検出した当該ＩＤに対応する表示装置１０（１０ａ）を選択する。ＩＤ検出接続部２２３は、例えば、図６に示すような撮像画像ＳＧ１〜撮像画像ＳＧ３を撮像部２１から取得し、画像に含まれる表示パターンに基づいて複数の表示装置１０（１０ａ）のそれぞれに対応するＩＤを検出する。
ＩＤ検出接続部２２３は、例えば、表示装置リスト記憶部２３２が記憶する「接続状態情報」のうちの、選択された表示装置１０（１０ａ）（ＩＤが検出された表示装置１０（１０ａ））に対応する「接続状態」（接続状態情報）を、“接続中”（選択された状態を示す情報）に変更する。なお、ＩＤ検出接続部２２３は、撮像画像に表示パターンが表示されなくなった表示装置１０（１０ａ）に対応する「接続状態」を、“未接続”（選択されていない状態を示す情報）に変更する。
【００４７】
図６は、本実施形態における表示パターンの撮像画像の一例を示す図である。
図６において、撮像画像ＳＧ１は、表示装置１０−１と、表示装置１０−２と、表示装置１０ａとの3台の表示画面（Ｇ１〜Ｇ３）を撮像しており、各表示装置１０（１０ａ）の表示パターンＰＴから、３台のＩＤを検出可能である。この場合、ＩＤ検出接続部２２３は、表示装置１０−１と、表示装置１０−２と、表示装置１０ａとの3台を選択する。
【００４８】
また、撮像画像ＳＧ２は、表示装置１０−１の１台の表示画面Ｇ１を撮像しており、各表示装置１０（１０ａ）の表示パターンＰＴから、１台のＩＤを検出可能である。この場合、ＩＤ検出接続部２２３は、表示装置１０−１の１台を選択する。
また、撮像画像ＳＧ３は、表示装置１０−１及び表示装置１０−２の２台の表示画面（Ｇ１、Ｇ２）を撮像しており、各表示装置１０の表示パターンＰＴから、２台のＩＤを検出可能である。この場合、ＩＤ検出接続部２２３は、表示装置１０−１及び表示装置１０−２の２台を選択する。
【００４９】
ボタン制御部２２４は、携帯機器表示部２４１の表示、及びタッチ座標検出部２４２による操作の検出を制御する。ボタン制御部２２４は、例えば、図７に示す操作画面Ｇ１１の操作ボタン領域ＢＴ１の操作ボタン、及び終了ボタンＢＴ２を制御する。
なお、図７は、本実施形態における携帯機器２０の操作画面の一例を示す図である。
図７に示すように、操作画面Ｇ１１には、例えば、撮像画像を表示して、表示装置１０（１０ａ）を選択する撮像画像領域ＳＡと、各種操作を指定する操作ボタンの領域である操作ボタン領域ＢＴ１と、制御ボタンである終了ボタンＢＴ２とが含まれる。ボタン制御部２２４は、操作画面Ｇ１１を、携帯機器表示部２４１に表示させる。
【００５０】
また、ボタン制御部２２４は、タッチ座標検出部２４２によって、操作ボタン領域ＢＴ１の操作ボタンが選択された場合に、選択された操作ボタンに対応する操作コマンドの処理を、後述する操作コマンド処理部２２５に実行させる。
また、ボタン制御部２２４は、タッチ座標検出部２４２によって、制御ボタンである終了ボタンＢＴ２が選択された場合に、携帯機器表示部２４１に、操作画面（例えば、図７に示す操作画面Ｇ１１）の表示を停止させる。
【００５１】
なお、図７に示す撮像画像領域ＳＡは、上述した図６の撮像画像ＳＧ３を表示している例であり、ボタン制御部２２４は、撮像画像ＳＧ３を撮像画像領域ＳＡに表示させる。また、ボタン制御部２２４は、選択されている表示装置１０−１及び表示装置１０−２の表示パターンには、選択されている状態であることを示す選択枠ＳＷを表示させる。
また、ボタン制御部２２４は、表示装置１０（１０ａ）が選択されていない状態では、終了ボタンＢＴ２の操作以外の操作ボタン領域ＢＴ１の操作を禁止する。
【００５２】
操作コマンド処理部２２５は、ボタン制御部２２４によって、検出された操作ボタンに対応する操作コマンドを、無線通信部２５に送信させる。操作コマンド処理部２２５は、例えば、表示装置リスト記憶部２３２が記憶する通信可能な表示装置１０（１０ａ）リストを検索して、「通信状態」が“通信中”に設定されているＩＤを抽出する。操作コマンド処理部２２５は、抽出したＩＤに対応する無線接続情報を用いて、ＩＤを付与した表示装置１０（１０ａ）宛に、ボタン制御部２２４によって検出された操作コマンドを無線通信部２５に送信させる。
【００５３】
次に、図面を参照して、本実施形態による表示システム１の動作について説明する。
図８は、本実施形態における携帯機器２０の動作の一例を示すフローチャートである。
【００５４】
図８に示すように、携帯機器２０の機器制御部２２は、専用プログラム記憶部２３１が記憶する専用プログラムを実行させて、専用アプリケーションを開始させて、操作画面を表示する（ステップＳ１０１）。機器制御部２２のボタン制御部２２４は、例えば、図７に示すような操作画面を、携帯機器表示部２４１に表示させる。なお、この状態では、撮像画像による表示装置１０（１０ａ）の選択が行われていないため、ボタン制御部２２４は、終了ボタンＢＴ２の操作以外を禁止する。
【００５５】
次に、機器制御部２２の表示装置探索部２２１は、通信可能な表示装置１０（１０ａ）を探索し、リストを作成する（ステップＳ１０２）。表示装置探索部２２１は、例えば、無線通信部２５を介して、ブロードキャスト通信を送信することで、通信可能な表示装置１０（１０ａ）を探索する。表示装置探索部２２１は、ブロードキャスト通信の返信を無線通信部２５を介して受信し、当該返信に含まれる機種情報及び無線接続情報を取得する。表示装置探索部２２１は、通信可能な表示装置１０（１０ａ）にＩＤを付与し、上述した図５に示すように、「ＩＤ」と、「機種名」と、「無線接続情報」と、「接続状態」とを対応付けて表示装置リスト記憶部２３２に記憶させてリスト（一覧）を作成する。なお、ここでは、表示装置探索部２２１は、「接続状態」を“未接続”として記憶させる。
【００５６】
次に、機器制御部２２の重畳指示部２２２は、表示パターンの重畳指示を表示装置１０（１０ａ）に送信する（ステップＳ１０３）。すなわち、重畳指示部２２２は、例えば、表示装置リスト記憶部２３２が記憶するリスト（一覧）に従って、無線通信部２５を介して、各表示装置１０（１０ａ）に付与されたＩＤを含む重畳指示を、表示装置１０（１０ａ）に送信する。なお、重畳指示部２２２は、表示装置１０（１０ａ）に重畳指示を送信する際には、上述した表示装置リスト記憶部２３２が記憶する「無線接続情報」を用いて、無線通信により表示装置１０（１０ａ）に送信する。
【００５７】
これにより、重畳指示を送付された表示装置１０（１０ａ）は、ＩＤを示す表示パターンを重畳した表示画面を表示部１１（１１ａ）に表示する。
次に、撮像部２１が、表示パターンを含む表示画面を撮像する（ステップＳ１０４）。すなわち、機器制御部２２のＩＤ検出接続部２２３は、撮像部２１に、例えば、図６に示すような撮像画像を撮像させ、撮像画像を取得する。なお、ボタン制御部２２４は、撮像部２１の撮像の際に、図７に示すように、撮像画像領域ＳＡに撮像画像を表示させる。
【００５８】
次に、ＩＤ検出接続部２２３は、撮像画像からＩＤを取得する（ステップＳ１０５）。ＩＤ検出接続部２２３は、撮像部２１が撮像した撮像画像に重畳されている表示パターンを検出し、当該表示パターンからＩＤを検出する。
【００５９】
次に、ＩＤ検出接続部２２３は、取得したＩＤに変更があるか否かを判定する（ステップＳ１０６）。ＩＤ検出接続部２２３は、例えば、前回取得したＩＤと、今回取得したＩＤとで、ＩＤが変更（更新）されているか否かを判定する。ＩＤ検出接続部２２３は、取得したＩＤに変更がある場合（ステップＳ１０６：ＹＥＳ）に、処理をステップＳ１０７に進める。また、ＩＤ検出接続部２２３は、取得したＩＤに変更がない場合（ステップＳ１０６：ＮＯ）に、処理をステップＳ１１２に進める。
【００６０】
ステップＳ１０７において、ＩＤ検出接続部２２３は、１つ以上のＩＤを取得しているか否かを判定する。ＩＤ検出接続部２２３は、１つ以上のＩＤを取得している場合（ステップＳ１０７：ＹＥＳ）に、処理をステップＳ１０８に進める。また、ＩＤ検出接続部２２３は、１つ以上のＩＤを取得していない（取得しているＩＤがない）場合（ステップＳ１０７：ＮＯ）に、処理をステップＳ１１０に進める。
【００６１】
ステップＳ１０８において、ＩＤ検出接続部２２３は、取得したＩＤに対応する表示装置１０（１０ａ）を接続状態にする。すなわち、ＩＤ検出接続部２２３は、表示装置リスト記憶部２３２を検索して、取得したＩＤに対応する表示装置１０（１０ａ）の「接続状態」を“接続中”に変更する。また、ＩＤ検出接続部２２３は、取得したＩＤに対応する表示装置１０（１０ａ）を無線通信による接続状態にする。また、ボタン制御部２２４は、選択されている表示装置１０（１０ａ）の表示パターンに、例えば、図７に示す選択枠ＳＷを表示させる。これにより、取得したＩＤに対応する表示装置１０（１０ａ）が選択されたことになる。なお、ＩＤ検出接続部２２３は、取得したＩＤ以外のＩＤに対応する表示装置１０（１０ａ）の「接続状態」を“未接続”に変更する。
【００６２】
次に、ボタン制御部２２４は、操作ボタンの操作を許可する（ステップＳ１０９）。すなわち、ボタン制御部２２４は、例えば、図７に示す操作ボタン領域ＢＴ１の操作を許可する。ステップＳ１０９の処理後に、ボタン制御部２２４は、処理をステップＳ１１２に進める。
【００６３】
また、ステップＳ１１０において、ＩＤ検出接続部２２３は、全ての表示装置１０（１０ａ）を未接続状態にする。すなわち、ＩＤ検出接続部２２３は、表示装置リスト記憶部２３２に記憶されている全てのＩＤに対応する表示装置１０（１０ａ）の「接続状態」を“未接続”に変更する。また、ＩＤ検出接続部２２３は、全てのＩＤに対応する表示装置１０（１０ａ）に対する無線通信による接続を切断する。これにより、全てのＩＤに対応する表示装置１０（１０ａ）が非選択状態（未選択状態）にされたことになる。
【００６４】
次に、ボタン制御部２２４は、操作ボタンの操作を禁止する（ステップＳ１１１）。すなわち、ボタン制御部２２４は、例えば、図７に示す操作ボタン領域ＢＴ１の操作を禁止する。ステップＳ１１１の処理後に、ボタン制御部２２４は、処理をステップＳ１１２に進める。
【００６５】
ステップＳ１１２において、ボタン制御部２２４は、終了ボタンＢＴ２が押下されたか否かを判定する。すなわち、ボタン制御部２２４は、タッチ座標検出部２４２によって、例えば、図７に示す終了ボタンＢＴ２がタッチされたか否かを判定する。ボタン制御部２２４は、終了ボタンが押下された場合（ステップＳ１１２：ＹＥＳ）に、処理をステップＳ１１３に進める。また、ボタン制御部２２４は、終了ボタンが押下されていない場合（ステップＳ１１２：ＮＯ）に、処理をステップＳ１１５に進める。
【００６６】
ステップＳ１１３において、機器制御部２２は、表示パターンの非表示を指示し、接続を終了する。例えば、機器制御部２２は、表示パターンの表示を停止させる指示を、無線通信部２５を介して、全ての表示装置１０（１０ａ）に送信し、無線通信による接続を切断する。
【００６７】
次に、機器制御部２２は、操作画面の表示を終了する（ステップＳ１１４）。ステップＳ１１４の処理後に、機器制御部２２は、表示装置１０（１０ａ）を操作する処理を終了する。
【００６８】
また、ステップＳ１１５において、ボタン制御部２２４は、操作ボタンが押下されたか否かを判定する。すなわち、ボタン制御部２２４は、タッチ座標検出部２４２によって、例えば、図７に示す操作ボタン領域ＢＴ１内の操作ボタンがタッチされたか否かを判定する。ボタン制御部２２４は、操作ボタンが押下された場合（ステップＳ１１５：ＹＥＳ）に、処理をステップＳ１１６に進める。また、ボタン制御部２２４は、操作ボタンが押下されていない場合（ステップＳ１１５：ＮＯ）に、処理をステップＳ１０４に戻す。
【００６９】
ステップＳ１１６において、機器制御部２２の操作コマンド処理部２２５は、選択された表示装置１０（１０ａ）に操作コマンドを送信する。操作コマンド処理部２２５は、表示装置リスト記憶部２３２が記憶するリストを参照して、「接続状態」が“接続中”である表示装置１０（１０ａ）を全て抽出する。操作コマンド処理部２２５は、抽出した「接続状態」が“接続中”である表示装置１０（１０ａ）に、ボタン制御部２２４によって選択された操作ボタンに対応する操作コマンドを、表示装置リスト記憶部２３２が記憶する「無線接続情報」を用いて無線通信により送信する。
【００７０】
なお、操作コマンド処理部２２５は、抽出した「接続状態」が“接続中”である表示装置１０（１０ａ）の数分の操作コマンドを送信してもよいし、１つの操作コマンドで複数の表示装置１０（１０ａ）宛に送信するマルチキャスト通信により送信してもよい。ステップＳ１１６の処理後に、操作コマンド処理部２２５は、処理をステップＳ１０４に戻す。
【００７１】
次に、図９を参照して、本実施形態における表示装置１０（１０ａ）の動作について説明する。
図９は、本実施形態における表示装置１０（１０ａ）の動作の一例を示すフローチャートである。
【００７２】
図９に示すように、表示装置１０（１０ａ）は、まず、携帯機器２０からの通信を受信したか否かを判定する（ステップＳ２０１）。表示装置１０（１０ａ）の表示制御部１２は、無線通信部１３を介して、例えば、操作コマンドなどの通信を携帯機器２０から受信したか否かを判定する。表示制御部１２は、携帯機器２０からの通信を受信した場合（ステップＳ２０１：ＹＥＳ）に、処理をステップＳ２０２に進める。また、表示制御部１２は、携帯機器２０からの通信を受信していない場合（ステップＳ２０１：ＮＯ）に、処理をステップＳ２０１に戻す。
【００７３】
ステップＳ２０２において、表示制御部１２は、受信した携帯機器２０からの通信に応じて、分岐処理を実行する。表示制御部１２は、ブロードキャスト通信の問い合わせを受信した場合（ステップＳ２０２：ブロードキャスト通信の問い合わせ）に、処理をステップＳ２０３に進める。また、表示制御部１２は、表示パターンの重畳指示を受信した場合（ステップＳ２０２：表示パターンの重畳指示）に、処理をステップＳ２０４に進める。
【００７４】
また、表示制御部１２は、表示パターンの非表示指示を受信した場合（ステップＳ２０２：表示パターンの非表示指示）に、処理をステップＳ２０６に進める。また、表示制御部１２は、操作コマンドを受信した場合（ステップＳ２０２：操作コマンド）に、処理をステップＳ２０７に進める。
【００７５】
ステップＳ２０３において、表示制御部１２は、装置情報を送信する。すなわち、表示制御部１２は、装置情報記憶部１４が記憶する機種情報や無線接続情報などの装置情報を含む電文を、ブロードキャスト通信の問い合わせの返信として、無線通信部１３を介して携帯機器２０に送信する。ステップＳ２０３の処理後に、表示制御部１２は、処理をステップＳ２０１に戻す。
【００７６】
また、ステップＳ２０４において、表示パターン生成部１５は、取得したＩＤを示す表示パターンを生成する。すなわち、表示制御部１２は、表示パターンの重畳指示に含まれるＩＤを取得し、表示パターン生成部１５に、取得したＩＤから表示パターンを生成させる。
【００７７】
次に、重畳処理部１７は、表示パターンを表示画像に重畳して、表示部１１（１１ａ）に表示させる（ステップＳ２０５）。すなわち、表示制御部１２は、重畳処理部１７に、表示パターン生成部１５が生成した表示パターンを、映像処理部１６が出力する映像（画像）に重畳させて、表示部１１（１１ａ）に出力させる。これにより、表示部１１（１１ａ）が、表示パターンを重畳した表示画像を表示する。ステップＳ２０５の処理後に、表示制御部１２は、処理をステップＳ２０１に戻す。
【００７８】
また、ステップＳ２０６において、表示制御部１２は、表示パターンの重畳を停止する。すなわち、表示制御部１２は、重畳処理部１７に、生成パターンの重畳を停止させ、映像処理部１６が出力する映像を表示部１１（１１ａ）に表示させる。ステップＳ２０６の処理後に、表示制御部１２は、処理をステップＳ２０１に戻す。
【００７９】
また、ステップＳ２０７において、表示制御部１２は、操作コマンドを実行する。すなわち、表示制御部１２は、操作コマンドの内容に応じた各種操作処理を実行する。ステップＳ２０７の処理後に、表示制御部１２は、処理をステップＳ２０１に戻す。
【００８０】
以上説明したように、本実施形態による表示システム１は、複数の表示装置１０（１０ａ）と、複数の表示装置１０（１０ａ）を操作する携帯機器２０とを備える。表示装置１０（１０ａ）は、携帯機器２０から自装置宛に送信された重畳指示に応じて、重畳指示に含まれるＩＤ（識別情報）を示す表示パターンを表示画像に重畳させて表示部１１（１１ａ）に表示させる表示制御部１２を備える。携帯機器２０は、撮像部２１と、機器制御部２２とを備える。撮像部２１は、表示装置１０（１０ａ）の表示部１１（１１ａ）が表示する表示パターンが重畳された表示画像を撮像する。機器制御部２２は、通信可能な表示装置１０（１０ａ）にＩＤを付与し、付与したＩＤを含む重畳指示を当該表示装置１０（１０ａ）に送信するとともに、撮像部２１が撮像した表示画像に重畳された表示パターンに基づいて、操作を行う表示装置１０（１０ａ）を選択する。
【００８１】
これにより、ユーザが撮像部２１を用いて、表示パターンが重畳された表示画像を撮像することで、操作を行う表示装置１０（１０ａ）を選択できるため、本実施形態による表示システム１は、煩雑な操作を必要とせずに、表示装置１０（１０ａ）の操作を行うことができる。よって、本実施形態による表示システム１は、利便性を向上させることができる。
【００８２】
例えば、本実施形態による表示システム１では、ユーザは、操作したい表示装置１０（１０ａ）によって表示されている表示画面にだけに撮像部２１を向けるだけで操作できるので簡単に希望の表示装置１０（１０ａ）を操作することができる。また、本実施形態による表示システム１は、例えば、プロジェクタのように表示位置と本体の位置とが異なる表示装置１０を使った場合でも投射しているプロジェクタの位置などをユーザが気にすることはなく操作したい表示画面だけを見て簡単に操作することができる。
【００８３】
また、本実施形態では、機器制御部２２は、表示画像に重畳された表示パターンに基づいて、ＩＤを検出し、検出した当該ＩＤに対応する表示装置１０（１０ａ）を選択する。
これにより、本実施形態による表示システム１は、簡易な手法により、操作を行う表示装置１０（１０ａ）を適切に選択することができる。
【００８４】
また、本実施形態では、機器制御部２２は、選択した表示装置１０（１０ａ）に対して、ユーザから受け付けた操作の内容を示す操作情報を送信する。
これにより、本実施形態による表示システム１は、簡易な手法により選択した表示装置１０（１０ａ）を、適切に操作することができる。
【００８５】
また、本実施形態では、携帯機器２０は、ＩＤと、当該ＩＤが付与された表示装置１０（１０ａ）への通信に使用する通信接続情報（例えば、「無線接続情報」など）と、表示装置１０（１０ａ）が選択された状態であるか否かを示す選択状態情報（例えば、「接続状態」）とを対応付けて記憶する表示装置リスト記憶部２３２（表示装置情報記憶部）を備える。機器制御部２２は、選択した表示装置１０（１０ａ）に対して、ユーザから受け付けた操作の内容を示す操作情報（例えば、操作コマンド）を送信する際に、表示装置リスト記憶部２３２が記憶する選択状態情報が選択された状態を示す情報である表示装置１０（１０ａ）に、通信接続情報を用いて操作情報を送信する。
これにより、本実施形態による表示システム１は、選択した表示装置１０（１０ａ）に、操作情報（例えば、操作コマンド）を適切に送信することができる。
【００８６】
また、本実施形態では、機器制御部２２は、探索した通信可能な表示装置１０（１０ａ）から通信接続情報（例えば、「無線接続情報」など）を取得し、取得した通信接続情報と、ＩＤとを対応付けて、表示装置リスト記憶部２３２に記憶させる。機器制御部２２は、表示装置リスト記憶部２３２が記憶する選択状態情報のうちの、選択された表示装置１０（１０ａ）に対応する選択状態情報を、選択された状態を示す情報に変更する。
これにより、本実施形態による表示システム１は、選択した複数の表示装置１０（１０ａ）に対して、操作情報（例えば、操作コマンド）を適切に送信することができる。
【００８７】
また、本実施形態では、機器制御部２２は、表示装置探索部２２１（識別情報付与部）と、重畳指示部２２２とを備える。表示装置探索部２２１は、通信可能な表示装置１０（１０ａ）を探索し、探索した当該表示装置１０（１０ａ）を識別するＩＤを付与する。重畳指示部２２２は、表示装置探索部２２１が付与したＩＤを含む重畳指示を、探索した表示装置１０（１０ａ）に送信する。
これにより、本実施形態による表示システム１は、簡易な構成により、通信可能な表示装置１０（１０ａ）にＩＤを自動で付与し、ＩＤを示す表示パターンを表示画面に重畳させるため、簡易な構成により操作対象の表示装置１０（１０ａ）を容易に特定することができる。
【００８８】
また、本実施形態では、携帯機器２０と表示装置１０（１０ａ）とは、無線通信を用いて通信可能であり、機器制御部２２は、通信可能な表示装置１０（１０ａ）に、無線通信を用いて重畳指示を送信する。
これにより、本実施形態による表示システム１は、表示装置１０（１０ａ）を無線通信により操作できるため、例えば、有線により手動で携帯機器２０と表示装置１０（１０ａ）とを接続する必要がなく、さらに利便性を向上させることができる。
【００８９】
また、本実施形態による制御方法は、複数の表示装置１０（１０ａ）と、複数の表示装置１０（１０ａ）を操作する携帯機器２０とを備える表示システム１の制御方法であって、重畳指示送信ステップと、表示制御ステップと、撮像ステップと、選択ステップとを含む。重畳指示送信ステップにおいて、携帯機器２０が、通信可能な表示装置１０（１０ａ）にＩＤを付与し、付与したＩＤを含む重畳指示を当該表示装置１０（１０ａ）に送信する。表示制御ステップにおいて、表示装置１０（１０ａ）が、携帯機器２０から自装置宛に送信された重畳指示に応じて、重畳指示に含まれるＩＤを示す表示パターンを表示画像に重畳させて表示部１１（１１ａ）に表示させる。撮像ステップにおいて、携帯機器２０が、表示装置１０（１０ａ）の表示部１１（１１ａ）が表示する表示パターンが重畳された表示画像を撮像する。選択ステップにおいて、携帯機器２０が、撮像ステップによって撮像された表示画像に重畳された表示パターンに基づいて、操作を行う表示装置１０（１０ａ）を選択する。
これにより、本実施形態による制御方法は、上述した表示システム１と同様の効果を奏し、利便性を向上させることができる。
【００９０】
［第２の実施形態］
次に、図面を参照して、第２の実施形態による表示システム１ａについて説明する。
なお、本実施形態では、上述した第１の実施形態の表示システム１に、選択した表示装置１０（１０ａ）を保持する機能を追加し、撮像部２１を操作したい表示装置１０（１０ａ）以外に向けた場合でも操作できるようにした変形例について説明する。
【００９１】
図１０は、本実施形態による表示システム１ａの一例を示すブロック図である。
図１０に示すように、表示システム１ａは、表示装置１０（１０ａ）と、携帯機器２０ａとを備えている。
なお、表示システム１ａの外観は、上述した図１に示す第１の実施形態と同様であるため、ここではその説明を省略する。また、図１０において、図２と同様の構成には同様の符号を付与して、その説明を省略する。
【００９２】
携帯機器２０ａは、撮像部２１と、機器制御部２２ａと、機器記憶部２３ａと、タッチスクリーン２４と、無線通信部２５とを備える。
機器記憶部２３ａは、携帯機器２０ａが使用する各種情報を記憶する。機器記憶部２３ａは、専用プログラム記憶部２３１と、表示装置リスト記憶部２３２と、検出保持情報記憶部２３３とを備える。
【００９３】
検出保持情報記憶部２３３は、撮像部２１が撮像した表示画像に重畳された表示パターンに基づいて検出されたＩＤを、ＩＤのリストとして記憶する。検出保持情報記憶部２３３には、操作画面の後述する検出保持ボタンが押下された場合に、ＩＤのリストに、新たに検出されたＩＤが追加される。また、検出保持情報記憶部２３３は、操作画面の後述する検出保持ボタンが押下された場合に、保持しているＩＤのリストをクリア（消去）する。
【００９４】
機器制御部２２ａは、例えば、ＣＰＵなどを含むプロセッサであり、携帯機器２０ａを統括的に制御する。機器制御部２２ａは、表示装置探索部２２１と、重畳指示部２２２と、ＩＤ検出接続部２２３ａと、ボタン制御部２２４ａと、操作コマンド処理部２２５とを備える。機器制御部２２ａの基本的な機能は、第１の実施形態の機器制御部２２と同様であるが、ＩＤ検出接続部２２３ａ及びボタン制御部２２４ａに関する処理が、第１の実施形態と異なる。
【００９５】
ボタン制御部２２４ａは、携帯機器表示部２４１の表示、及びタッチ座標検出部２４２による操作の検出を制御する。ボタン制御部２２４ａは、例えば、図１１に示す操作画面Ｇ１２の操作ボタン領域ＢＴ１の操作ボタン、終了ボタンＢＴ２、接続保持ボタンＢＴ３、検出保持ボタンＢＴ４、及び検出保持クリアボタンＢＴ５を制御する。
【００９６】
図１１は、本実施形態における携帯機器２０ａの操作画面の一例を示す図である。
図１１に示すように、操作画面Ｇ１２には、例えば、撮像画像を表示して、表示装置１０（１０ａ）を選択する撮像画像領域ＳＡと、各種操作を指定する操作ボタンの領域である操作ボタン領域ＢＴ１と、制御ボタンである終了ボタンＢＴ２、接続保持ボタンＢＴ３、検出保持ボタンＢＴ４、及び検出保持クリアボタンＢＴ５とが含まれる。ボタン制御部２２４ａは、操作画面Ｇ１２を、携帯機器表示部２４１に表示させる。
【００９７】
また、ボタン制御部２２４ａは、タッチ座標検出部２４２（操作部）から表示装置１０（１０ａ）が選択されている状態を保持する選択保持指示を取得した場合に、表示パターンに基づくＩＤの検出を停止し、表示装置１０（１０ａ）が選択されている状態を保持する。すなわち、ボタン制御部２２４ａは、タッチ座標検出部２４２によって、接続保持ボタンＢＴ３が押下された場合に、接続保持モードになり、ＩＤ検出接続部２２３ａに、表示パターンに基づくＩＤの検出を停止させる。なお、ボタン制御部２２４ａは、例えば、接続保持ボタンＢＴ３がもう一回押下されると、表示パターンに基づくＩＤの検出を停止させた接続保持モードを解除するようにトグル動作を行う。
【００９８】
また、ボタン制御部２２４ａは、タッチ座標検出部２４２からＩＤの検出結果を保持する検出保持指示を取得した場合に、検出されたＩＤを検出保持情報記憶部２３３に記憶させる。すなわち、ボタン制御部２２４ａは、タッチ座標検出部２４２によって、検出保持ボタンＢＴ４が押下された場合に、ＩＤ検出接続部２２３ａに、検出したＩＤを検出保持情報記憶部２３３に保持させる。
【００９９】
また、ボタン制御部２２４ａは、タッチ座標検出部２４２からＩＤの検出結果をクリア（消去）する検出保持クリア指示を取得した場合に、検出保持情報記憶部２３３が記憶するＩＤを全て消去する。すなわち、ボタン制御部２２４ａは、タッチ座標検出部２４２によって、検出保持クリアボタンＢＴ５が押下された場合に、検出保持情報記憶部２３３に、記憶しているＩＤを全て消去（削除）させる。
また、ボタン制御部２２４ａのその他の処理は、第１の実施形態と同様であるため、ここではその説明を省略する。
【０１００】
ＩＤ検出接続部２２３ａは、撮像部２１が撮像した表示画像に重畳された表示パターンに基づいて、ＩＤを検出し、検出した当該ＩＤに対応する表示装置１０（１０ａ）を選択する。なお、本実施形態のＩＤ検出接続部２２３ａは、現在の表示画像に重畳された表示パターンに基づいて検出したＩＤに対応する表示装置１０（１０ａ）と、上述した検出保持情報記憶部２３３が記憶するＩＤに対応する表示装置１０（１０ａ）との両方を選択する。
【０１０１】
すなわち、ＩＤ検出接続部２２３ａは、操作を行う表示装置１０（１０ａ）を選択する際に、検出保持情報記憶部２３３が記憶するＩＤに対応する表示装置１０（１０ａ）と、撮像部２１が現在撮像した表示パターンに基づいて検出されたＩＤに対応する表示装置１０（１０ａ）とを選択する。
ＩＤ検出接続部２２３ａのその他の処理は、第１の実施形態のＩＤ検出接続部２２３と同様であるため、ここではその説明を省略する。
【０１０２】
次に、図面を参照して、本実施形態による表示システム１ａの動作について説明する。
図１２は、本実施形態における携帯機器２０ａの動作の一例を示すフローチャートである。
【０１０３】
図１２に示すように、携帯機器２０ａの機器制御部２２ａは、専用プログラム記憶部２３１が記憶する専用プログラムを実行させて、専用アプリケーションを開始させて、操作画面を表示する（ステップＳ３０１）。機器制御部２２ａのボタン制御部２２４ａは、例えば、図１１に示すような操作画面を、携帯機器表示部２４１に表示させる。なお、この状態では、撮像画像による表示装置１０（１０ａ）の選択が行われていないため、ボタン制御部２２４ａは、終了ボタンＢＴ２の操作以外を禁止する。
【０１０４】
続く、ステップＳ３０２からステップＳ３０５までの処理は、上述した図８に示すステップＳ１０２からステップＳ１０５までの処理と同様であるため、ここではその説明を省略する。
【０１０５】
次に、ＩＤ検出接続部２２３ａは、取得したＩＤ及び検出保持情報に変更があるか否かを判定する（ステップＳ３０６）。ＩＤ検出接続部２２３ａは、例えば、今回取得したＩＤ及び検出保持情報記憶部２３３が記憶するＩＤに変更（更新）があるか否かを判定する。ＩＤ検出接続部２２３ａは、取得したＩＤ及び検出保持情報記憶部２３３が記憶するＩＤに変更がある場合（ステップＳ３０６：ＹＥＳ）に、処理をステップＳ３０７に進める。また、ＩＤ検出接続部２２３ａは、取得したＩＤ及び検出保持情報記憶部２３３が記憶するＩＤに変更がない場合（ステップＳ３０６：ＮＯ）に、処理をステップ３１２に進める。
【０１０６】
ステップＳ３０７において、ＩＤ検出接続部２２３ａは、１つ以上のＩＤを取得しているか否かを判定する。ＩＤ検出接続部２２３ａは、取得したＩＤ及び検出保持情報記憶部２３３が記憶するＩＤが、１つ以上であるか否かによって、１つ以上のＩＤを取得しているか否かを判定する。ＩＤ検出接続部２２３ａは、１つ以上のＩＤを取得している場合（ステップＳ３０７：ＹＥＳ）に、処理をステップＳ３０８に進める。また、ＩＤ検出接続部２２３ａは、１つ以上のＩＤを取得していない（取得しているＩＤがない）場合（ステップＳ３０７：ＮＯ）に、処理をステップＳ３１０に進める。
【０１０７】
ステップＳ３０８において、ＩＤ検出接続部２２３ａは、取得したＩＤ及び検出保持情報に対応する表示装置１０（１０ａ）を接続状態にする。すなわち、ＩＤ検出接続部２２３ａは、表示装置リスト記憶部２３２を検索して、取得したＩＤに対応する表示装置１０（１０ａ）の「接続状態」、及び、検出保持情報記憶部２３３が記憶するＩＤに対応する表示装置１０（１０ａ）の「接続状態」を“接続中”に変更する。また、ＩＤ検出接続部２２３ａは、取得したＩＤ及び検出保持情報記憶部２３３が記憶するＩＤに対応する表示装置１０（１０ａ）を無線通信による接続状態にする。これにより、取得したＩＤに対応する表示装置１０（１０ａ）が選択されたことになる。なお、ＩＤ検出接続部２２３ａは、取得したＩＤ及び検出保持情報記憶部２３３が記憶するＩＤ以外のＩＤに対応する表示装置１０（１０ａ）の「接続状態」を“未接続”に変更する。
【０１０８】
続く、ステップＳ３０９からステップＳ３１６までの処理は、上述した図８に示すステップＳ１０９からステップＳ１１６までの処理と同様であるため、ここではその説明を省略する。なお、ステップＳ３１５において、ボタン制御部２２４ａは、操作ボタンが押下されていない場合（ステップＳ３１５：ＮＯ）に、処理をステップＳ３１７に進める。
【０１０９】
ステップＳ３１７において、ボタン制御部２２４ａは、接続保持ボタンがオン状態であるか否かを判定する。ボタン制御部２２４ａは、図１１に示す接続保持ボタンＢＴ３が押下されると、接続保持モードになり、当該接続保持モードであるか否かにより、接続保持ボタンがオン状態であるか否かを判定する。ボタン制御部２２４ａは、接続保持ボタンがオン状態である場合（ステップＳ３１７：ＹＥＳ）に、処理をステップＳ３１２に戻す。すなわち、ボタン制御部２２４ａは、ＩＤ検出接続部２２３ａに、表示パターンに基づくＩＤの検出を停止させる。また、ボタン制御部２２４ａは、接続保持ボタンがオン状態でない場合（ステップＳ３１７：ＮＯ）に、処理をステップＳ３１８に進める。
【０１１０】
ステップＳ３１８において、ボタン制御部２２４ａは、検出保持ボタンが押下されたか否かを判定する。ボタン制御部２２４ａは、例えば、図１１に示す検出保持ボタンＢＴ４が押下された場合（ステップＳ３１８：ＹＥＳ）に、処理をステップＳ３１９に進める。また、ボタン制御部２２４ａは、例えば、図１１に示す検出保持ボタンＢＴ４が押下されていない場合（ステップＳ３１８：ＮＯ）に、処理をステップＳ３２０に進める。
【０１１１】
ステップＳ３１９において、ボタン制御部２２４ａは、検出保持情報に現在取得したＩＤを追加する。すなわち、ボタン制御部２２４ａは、検出保持情報記憶部２３３が記憶するＩＤのリストに、新たに検出されたＩＤを追加させる。
【０１１２】
次に、ステップＳ３２０において、ボタン制御部２２４ａは、検出保持クリアボタンが押下されたか否かを判定する。ボタン制御部２２４ａは、例えば、図１１に示す検出保持クリアボタンＢＴ５が押下された場合（ステップＳ３２０：ＹＥＳ）に、処理をステップＳ３２１に進める。また、ボタン制御部２２４ａは、例えば、図１１に示す検出保持クリアボタンＢＴ５が押下されていない場合（ステップＳ３２０：ＮＯ）に、処理をステップＳ３０４に戻す。
【０１１３】
ステップＳ３２１において、ボタン制御部２２４ａは、検出保持情報が記憶するＩＤを全て消去する。すなわち、ボタン制御部２２４ａは、検出保持情報記憶部２３３が記憶するＩＤのリストを削除させる。ステップＳ３２１の処理後に、ボタン制御部２２４ａは、処理をステップＳ３０４に戻す。
【０１１４】
このように、本実施形態による携帯機器２０ａは、図１１に示す操作画面Ｇ１２において、接続保持ボタンＢＴ３が押下されてオン状態になると、接続保持モードになり、撮像画像からのＩＤの検出を停止する。そのため、携帯機器２０ａは、撮像画像に生成パターンが含まれていない場合であっても、以前の表示装置１０（１０ａ）の選択状態（接続状態）が保持される。
【０１１５】
また、携帯機器２０ａは、図１１に示す操作画面Ｇ１２において、検出保持ボタンＢＴ４が押下されると、表示パターンから検出されたＩＤが検出保持情報記憶部２３３に記憶されて、検出保持情報記憶部２３３が記憶するＩＤを含めて表示装置１０（１０ａ）のを選択する。
また、携帯機器２０ａは、図１１に示す操作画面Ｇ１２において、検出保持クリアボタンＢＴ５が押下されると、検出保持情報記憶部２３３が記憶する全てのＩＤが消去される。
【０１１６】
また、本実施形態による表示装置１０（１０ａ）の動作は、上述した図９に示す第１の実施形態の動作と同様であるため、ここではその説明を省略する。
【０１１７】
以上説明したように、本実施形態による表示システム１ａは、複数の表示装置１０（１０ａ）と、携帯機器２０ａとを備える。携帯機器２０ａは、撮像部２１と、機器制御部２２ａとを備える。機器制御部２２ａは、通信可能な表示装置１０（１０ａ）にＩＤを付与し、付与したＩＤを含む重畳指示を当該表示装置１０（１０ａ）に送信するとともに、撮像部２１が撮像した表示画像に重畳された表示パターンに基づいて、操作を行う表示装置１０（１０ａ）を選択する。
これにより、本実施形態による表示システム１ａは、上述した第１の実施形態と同様の効果を奏し、利便性を向上させることができる。
【０１１８】
また、本実施形態では、機器制御部２２ａは、ユーザの操作を受け付けるタッチ座標検出部２４２（操作部）から表示装置１０（１０ａ）が選択されている状態を保持する選択保持指示（例えば、接続保持ボタンの押下）を取得した場合に、表示パターンに基づくＩＤの検出を停止し、表示装置１０（１０ａ）が選択されている状態を保持する。
これにより、本実施形態による表示システム１ａは、携帯機器２０ａの撮像部２１を、操作したい表示装置１０（１０ａ）の表示画面に向け続けなくても、表示装置１０（１０ａ）を選択及び操作することができる。よって、本実施形態による表示システム１ａは、ユーザの操作における負担を軽減することができ、利便性をさらに向上させることができる。
【０１１９】
また、本実施形態では、携帯機器２０ａは、撮像部２１が撮像した表示画像に重畳された表示パターンに基づいて検出されたＩＤを記憶する検出保持情報記憶部２３３を備える。機器制御部２２ａは、タッチ座標検出部２４２（操作部）からＩＤの検出結果を保持する検出保持指示（例えば、検出保持ボタンの押下）を取得した場合に、検出されたＩＤを検出保持情報記憶部２３３に記憶させる。機器制御部２２ａは、操作を行う表示装置１０（１０ａ）を選択する際に、検出保持情報記憶部２３３が記憶するＩＤに対応する表示装置１０（１０ａ）と、撮像部２１が現在撮像した表示パターンに基づいて検出されたＩＤに対応する表示装置１０（１０ａ）とを選択する。
【０１２０】
これにより、本実施形態による表示システム１ａは、例えば、複数回に分けて（分割して）撮像画像を撮像して、複数の表示装置１０（１０ａ）を選択して適切に操作することができる。また、本実施形態による表示システム１ａは、例えば、隣り合っていない複数の表示パターンに対応する表示装置１０（１０ａ）を選択することができる。
［第３の実施形態］
次に、図１３を参照して、第３の実施形態による表示システム１ｂについて説明する。なお、本実施形態では、本発明の基本構成例について説明する。
図１３は、本実施形態による表示システム１ｂの一例を示すブロック図である。
【０１２１】
図１３に示すように、表示システム１ｂは、複数の表示装置１００（１００−１、１００−２、・・・）と、携帯機器２００とを備える。表示システム１ｂは、例えば、複数の表示装置１００を並べて配置して使用するマルチ表示を行うシステムであり、携帯機器２００から表示装置１００を操作する。
【０１２２】
なお、本実施形態において、表示装置１００−１、表示装置１００−２、・・・のそれぞれは、同一の構成であり、表示システム１ｂが備える任意の表示装置を示す場合、又は特に区別しない場合には、表示装置１００として説明する。
【０１２３】
表示装置１００は、表示部１１０と、表示制御部１２０とを備える。表示部１１０は、例えば、プロジェクタや、液晶ディスプレイ等のモニタなどである。表示制御部１２０は、携帯機器２０から自装置宛に送信された重畳指示に応じて、重畳指示に含まれるＩＤ（識別情報）を示す表示パターンを表示画像に重畳させて表示部１１０に表示させる。
【０１２４】
携帯機器２００は、複数の表示装置１００を操作する。携帯機器２００は、撮像部２１０と、機器制御部２２０とを備える。撮像部２１０は、表示装置１００の表示部１１０が表示する表示パターンが重畳された表示画像を撮像する。機器制御部２２０は、通信可能な表示装置１００にＩＤを付与し、付与したＩＤを含む重畳指示を当該表示装置１００に送信するとともに、撮像部２１０が撮像した表示画像に重畳された表示パターンに基づいて、操作を行う表示装置１００を選択する。
【０１２５】
これにより、ユーザが撮像部２１０を用いて、表示パターンが重畳された表示画像を撮像することで、操作を行う表示装置１００を選択できるため、本実施形態による表示システム１ｂは、煩雑な操作を必要とせずに、表示装置１００の操作を行うことができる。よって、本実施形態による表示システム１ｂは、利便性を向上させることができる。
【０１２６】
なお、本発明は、上記の各実施形態に限定されるものではなく、本発明の趣旨を逸脱しない範囲で変更可能である。
例えば、上記の各実施形態において、表示システム１（１ａ）は、プロジェクタの表示装置１０と、モニタの表示装置１０ａとが混在する例を説明したが、表示装置１０と、表示装置１０ａとのいずれかを複数備えるようにしてもよい。
【０１２７】
上記の各実施形態において、携帯機器２０（２０ａ、２００）は、スマートフォンやタブレット端末などの電子機器である例を説明したがこれに限定されるものではなく、例えば、専用のリモコン機器であってもよい。
また、上記の各実施形態において、携帯機器２０（２０ａ、２００）と表示装置１０（１０ａ、１００）との間を無線通信を用いて通信する例を説明したがこれに限定されるものではなく、例えば、有線ＬＡＮなどの有線通信を用いるようにしてもよい。
【０１２８】
また、上記の各実施形態において、表示装置１０ａは、バックライト１１１ａを備える液晶ディスプレイに限定されるものではなく、例えば、バックライト１１１ａ、液晶パネル１１２ａ、及びカラーフィルタ１１３ａの代わりに自己発光デバイスである有機ＥＬやＬＥＤ（Light Emitting Diode）などを用いたディスプレイであってもよい。
【０１２９】
なお、上述した表示システム１（１ａ、１ｂ）が備える各構成は、内部に、コンピュータシステムを有している。そして、上述した表示システム１（１ａ、１ｂ）が備える各構成の機能を実現するためのプログラムをコンピュータ読み取り可能な記録媒体に記録して、この記録媒体に記録されたプログラムをコンピュータシステムに読み込ませ、実行することにより上述した表示システム１（１ａ、１ｂ）が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１３０】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に表示システム１（１ａ、１ｂ）が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１３１】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１３２】
１、１ａ、１ｂ  表示システム
１０、１０−１、１０−２、１０ａ、１００、１００−１、１００−２  表示装置
１１、１１ａ、１１０  表示部
１２、１２ａ、１２０  表示制御部
１３、２５  無線通信部
１４  装置情報記憶部
１５  表示パターン生成部
１６  映像処理部
１７  重畳処理部
２０、２０ａ、２００  携帯機器
２１、２１０  撮像部
２２、２２ａ、２２０  機器制御部
２３、２３ａ  機器記憶部
２４  タッチスクリーン
３０  投影部
３０ａ  表示パネル
１１１ａ  バックライト
１１１  光源部
１１２  空間光変調部
１１２ａ  液晶パネル
１１３  投影レンズユニット
１１３ａ  カラーフィルタ
１１４  空間光変調器駆動部
１１４ａ  液晶パネル駆動部
２２１  表示装置探索部
２２２  重畳指示部
２２３、２２３ａ  ＩＤ検出接続部
２２４、２２４ａ  ボタン制御部
２２５  操作コマンド処理部
２３１  専用プログラム記憶部
２３２  表示装置リスト記憶部
２３３  検出保持情報記憶部
２４１  携帯機器表示部
２４２  タッチ座標検出部
ＳＣ  スクリーン
【図１】
2020086103.tif 000003
【図２】
2020086103.tif 000004
【図３】
2020086103.tif 000005
【図４】
2020086103.tif 000006
【図５】
2020086103.tif 000007
【図６】
2020086103.tif 000008
【図７】
2020086103.tif 000009
【図８】
2020086103.tif 000010
【図９】
2020086103.tif 000011
【図１０】
2020086103.tif 000012
【図１１】
2020086103.tif 000013
【図１２】
2020086103.tif 000014
【図１３】
2020086103.tif 000015